(57)【要約】
【課題】内装完了後も有害物質吸着のメンテナンスができ、また床表面から発生する有害物質にも効果を発揮できる壁面パネルを得る。
【解決手段】建築物の壁又は天井又は床の内装に使用する本考案壁面パネル１は、壁面又は床面を内装するパネル材２と、パネル材２の表面側に着脱自在に装着でき、所定形状の孔を一定のパターンで形成した有孔パネル３と、有孔パネル３とパネル材２との間のパネル平面に平行な隙間４に、セラミック炭を含有する微細多孔質シートで形成した吸着パック５を着脱自在に挟持する。好適には、パネル材２は上下１対の水平支持枠６，７を有するものとして構成し、これら水平支持枠６，７に形成した互いに上下に対向する溝８，９に有孔パネル３の上下端縁を摺動自在に収容させる。
【選択図】図１
0003099951.tif 000002
【実用新案登録請求の範囲】
【請求項１】
　建築物の壁又は天井又は床の内装に使用する壁面パネルにおいて、壁面又は床面を内装するパネル材と、前記パネル材の表面側に着脱自在に装着でき、所定形状の孔を一定のパターンで形成した有孔パネルと、前記有孔パネルと前記パネル材との間のパネル平面に平行な隙間に、セラミック炭を含有する微細多孔質シートで形成した吸着パックを着脱自在に挟持したことを特徴とする壁面パネル。
【請求項２】
　前記パネル材は上下１対の水平支持枠を有するものとして構成し、これら水平支持枠に形成した互いに上下に対向する溝に前記有孔パネルの上下端縁を摺動自在に収容させる請求項１記載の壁面パネル。
【請求項３】
　前記パネル材は上下１対の水平支持枠を有するものとして構成し、これら水平支持枠に互いに上下に対向する溝に前記有孔パネルの上下端縁を嵌合させるものとし、いずれか一方の水平支持枠を前記パネル材にロック可能に回動自在又は取り外し可能にした請求項１記載の壁面パネル。
【考案の詳細な説明】
【技術分野】
【０００１】
　本考案は、建築物の壁又は天井の内装に使用する壁面パネルに関するものである。
【背景技術】
【０００２】
　主に、壁又は天井の内装のための接着剤や、建材に含まれるホルムアルデヒド、キシレン、トルエンその他の有害物質によるシックハウス症候群対策として、従来は、クロス内装する下地材としての無孔パネル、例えば、石膏ボードを断熱及び／又は防音パネル材に内装する前に、セラミック炭をシート化した（例えば、ポリエステルシートにセラミック炭を浸透させて形成する）有害物質吸着シート（例えば、特許文献１参照）を断熱及び／又は防音パネル材に貼り付ける作業を行うことがあった。
【特許文献１】特開２００１‐２８８２８８号公報
【０００３】
　用語「セラミック炭」は、原材料を８５０°Ｃ以上の高温で焼成炭化したものを微粉末に粉砕したものを意味するものとして定義する。
【考案の開示】
【考案が解決しようとする課題】
【０００４】
　しかし、従来のこの工法であると、内装クロスを下地材としての無孔パネル（例えば、石膏ボード）に貼り付けて内装を完了したのちには、有害物質吸着シートは永久的に壁面内部に埋設されたままとなる。従って、初期的には効果を発揮するが、時間の経過とともに効果が薄れる。
【０００５】
　更に、壁面から発生する有害物質に対しては効果を発揮するが、床表面から発生する有害物質の吸着には寄与しない。
【０００６】
　従って、本考案の目的は、内装完了後も有害物質吸着のメンテナンスができ、また床表面から発生する有害物質にも効果を発揮できる壁面パネルを得るにある。
【課題を解決するための手段】
【０００７】
　この目的を達成するため、本考案壁面パネルは、壁面又は床面を内装するパネル材と、前記パネル材の表面側に着脱自在に装着でき、所定形状の孔を一定のパターンで形成した有孔パネルと、前記有孔パネルと前記パネル材との間のパネル平面に平行な隙間に、セラミック炭を含有する微細多孔質シートで形成した吸着パックを着脱自在に挟持したことを特徴とする。
【考案の効果】
【０００８】
　本考案によれば、従来の吸着シートよりも吸着容量の大きい吸着パックが壁面パネル内部に内蔵されるため、有害物質吸着効果が格段に向上するとともに長期間にわたり効果を発揮する。また、表面の有孔パネルを取り外すことにより、ある一定期間後に新しい吸着パックに交換することができ、建築物の存続する限り永久的に有害物質吸着のメンテナンスができるようになる。
【０００９】
　更に、表面の有孔パネルが装飾的なデザインであれば、内装クロスを貼り付ける必要がなく、この場合、壁面又は天井以外の部分、例えば、床面から発生する有害物質に対しても吸着効果を発揮する。
【考案を実施するための最良の形態】
【００１０】
　本考案の好適な実施例においては、パネル材は上下１対の水平支持枠を有するものとして構成し、これら水平支持枠に形成した互いに上下に対向する溝に前記有孔パネルの上下端縁を摺動自在に掛合させる。更に、他の好適な実施例においては、やはりパネル材は上下１対の水平支持枠を有するものとして構成し、これら水平支持枠に互いに上下に対向する溝に前記有孔パネルの上下端縁を嵌合させるものとし、いずれか一方の水平支持枠を前記パネル材にロック可能に回動自在又は取り外し可能にする。
【００１１】
次に図面につき、本考案の好適な実施例を説明する。
【実施例】
【００１２】
　図１は壁面から取り外し可能な壁面パネルの実施例である。この壁面パネル１は、壁面を内装するパネル材２と、パネル材２の表面側に着脱自在に装着でき、所定形状の孔を一定のパターンで形成した有孔パネル３と、有孔パネル３とパネル材２との間のパネル平面に平行な隙間４に、セラミック炭を含有する微細多孔質シートで形成した吸着パック５を着脱自在に挟持する。
【００１３】
　図１の実施例では、パネル材２は上下１対の水平支持枠６，７を有するものとして構成し、これら水平支持枠６，７に形成した互いに上下に対向する溝８，９に前記有孔パネルの上下端縁を摺動自在に収容させる。
【００１４】
　この実施例においては、有孔パネル３はパネル材２に摺動自在に着脱することができ、有孔パネル３とパネル材２との間のパネル平面に平行な隙間４に配置した吸着パック５が古くなったとき、新しいパックに交換することができる。
【００１５】
　図示の実施例では、吸着パック５をたるみなく隙間４に固定するためのクランプ手段を設ける。このクランプ手段は、図２に明示するように、例えば、上下１対の水平支持枠６，７にそれぞれ固定した弾性チャンネル部材１０とし、この弾性チャンネル部材１０に設けたスリット１１に吸着パック５の上下端縁を挟み付けて吸着パック５を固着する。
【００１６】
　しかし、このようなクランプ手段なしに、単に有孔パネル３で吸着パック５をパネル材２に押し付けるだけでもよいし、吸着パック５の上下の端縁をパネル材２又は上側及び下側の水平支持枠６，７に接着してもよい。
【００１７】
　図１では、吸着パック５は中間部分を誇張して膨らませて描いてあるが、壁面パネルの厚さに応じた厚みのパックとすることができる。この吸着パック５は、従来のセラミック炭をシート化した有害物質吸着シートを袋状にするか、又は２枚の有害物質吸着シートを向かい合わせにし、内側に大きな粒子のセラミック炭を片寄りが生じないよう挟み込むかすると好適である。あるいは、互いに繊維が絡み合った毛羽立ち粗目マットに大きな粒子のセラミック炭を一様にまぶしたものを通常の微細多孔質不織布の袋又は２枚シート内に収容するものとすると好適である。このことにより、従来の有害物質吸着シートよりも吸着容量が大きく、有害物質吸着効果が格段に向上するとともに長期間にわたって効果を発揮する。
【００１８】
　有孔パネル３の孔の形状は任意の形状とすることができ、また孔の配列パターンの任意のパターンとすることができる。更に、この有孔パネル３の表面に内装クロスを貼付してもよいし、装飾クロスを貼付せずにそのまま使用してもよい。
【００１９】
　本考案壁面パネルを床面に使用する場合、根太にパネル材を固定し、この壁面パネル上にフローリングを施工する。
【産業上の利用可能性】
【００２０】
　この壁面パネルは壁面又は天井又は床の内装下地材としてでなく、間仕切り又は衝立としても、若しくはドアや襖としても利用することができ、建築業界全般に使用することができる。また、シックハウス症候群の原因となる有害物質の吸着・脱臭のみならず、通常の悪臭・不快臭の吸着・脱臭、電磁波吸着、吸湿作用による木材等の結露／腐食防止、ダニ又はシロアリからの防護の効果があり、一般住宅、オフィス、工場等、社会生活全般にわたり、有用性がある。
【図面の簡単な説明】
【００２１】
【図１】本考案壁面パネルの斜視図である。
【図２】本考案壁面パネルの分解斜視図である。
【符号の説明】
【００２２】
　１　壁面パネル
　２　パネル材
　３　有孔パネル
　４　隙間
　５　吸着パック
　６　上側水平支持枠
　７　下側水平支持枠
　８　溝
　９　溝
１０　弾性チャンネル部材
１１　スリット
【図１】
0003099951.tif 000003
【図２】
0003099951.tif 000004